(57)【要約】【課題】キャップ本体４０の開口部４１に透明な接着剤９で金輪７を固着しても、キャップ本体４０に装着した金輪７の挿着部７ａが、帯状の影になって透けにくい構造の金輪付きキャップ１を提供する。【解決手段】金輪７の挿着部７ａの外面に、頂部７ｅに形成した平坦面７ｆの軸心に沿った方向の巾Ｗ１が０．１ｍｍ以下である円環状の突部７ｃを、軸心に沿った方向に複数略等間隔に形成し、キャップ本体４０の挿着受部４１ａに金輪７の挿着部７ａを透明な接着剤により固着する。【選択図】図３
2012045870.tif 000002
【特許請求の範囲】
【請求項１】
色付きの樹脂材からなるキャップ本体の開口部側を薄肉に形成して挿着受部を設け、前記キャップ本体の色と異なる色の金輪に形成した挿着部を前記キャップ本体の挿着受部に挿着した状態で、前記キャップ本体の内面と前記金輪の内面とが一致する金輪付きキャップにおいて、前記金輪の挿着部の外面に、頂部に形成した平坦面の軸心に沿った方向の巾が０．１ｍｍ以下である円環状の突部を、軸心に沿った方向に複数略等間隔に形成し、前記キャップ本体の挿着受部に前記金輪の挿着部を透明な接着剤により固着することを特徴とした金輪付きキャップ。
【発明の詳細な説明】
【技術分野】
【０００１】
本発明は、金輪を備えたキャップに関する。
【背景技術】
【０００２】
従来より、キャップ本体を樹脂材で成形することは一般的であり、そのキャップ本体の開口部に金輪を装着することで、装飾性を向上させたり、開口部の強度を向上させたりする構造もよく知られている。尚、金輪をキャップ本体の開口部に装着する場合には、キャップから筆記具本体を抜き差しする際における金輪の脱落を防止するために、実開昭６３−４７１８６号公報に開示されているように、接着剤を用いる方法が採用されることが多い。
【０００３】
ところで、キャップ本体の開口部に金輪を装着する場合には、筆記具の抜き差しに支障がないように、金輪の内面とキャップ本体の内面とを一致させた方がよく、キャップ本体の開口部側を薄肉に形成して、そこに金輪の一端部を小径に形成した挿着部を挿着する場合がある。しかしこのような構造では、キャップ本体が、特にアイボリーなど淡色の場合や隠蔽性が低い樹脂材からなる場合に、キャップ本体の薄肉に形成した開口部側が透けやすく、金輪の挿着部に形成した接着強度を向上させるための凹凸部が、帯状の影のように透けて見えてしまうという問題があった。そこで特開２００８−１７３８４０号公報では、透明な接着剤ではなく、キャップ本体の色と同色系に着色した接着剤を使用して、影を見えにくくするという構造が開示されているが、着色した接着剤を用いることは、接着剤の配合により段取り時間が増大したり組立の作業性を悪化させたりして、コストアップを招いていた。
【先行技術文献】
【特許文献】
【０００４】
【特許文献１】実開昭６３−４７１８６号公報
【特許文献２】特開２００８−１７３８４０号公報
【発明の開示】
【発明が解決しようとする課題】
【０００５】
本発明はこうした問題を鑑みて、キャップ本体の開口部に金輪を透明な接着剤で固着しても、キャップ本体に装着した金輪の挿着部が帯状の影になって透けにくい構造の金輪付きキャップを提供することを目的とした。
【課題を解決するための手段】
【０００６】
本発明は、
「色付きの樹脂材からなるキャップ本体の開口部側を薄肉に形成して挿着受部を設け、前記キャップ本体の色と異なる色の金輪に形成した挿着部を前記キャップ本体の挿着受部に挿着した状態で、前記キャップ本体の内面と前記金輪の内面とが一致する金輪付きキャップにおいて、前記金輪の挿着部の外面に、頂部に形成した平坦面の軸心に沿った方向の巾が０．１ｍｍ以下である円環状の突部を、軸心に沿った方向に複数略等間隔に形成し、前記キャップ本体の挿着受部に前記金輪の挿着部を透明な接着剤により固着することを特徴とした金輪付きキャップ。」である。
【０００７】
前記金輪の挿着部に形成する複数の突部は、間隔をあけずに複数連続させる形態や、間隔を置いて連続させる形態のいずれであってもよい。また、キャップ本体の挿着受部の内面に最も接近して透けて見えやすくなる突部の頂部は、挿着受部の内面から離せば離すほど透けにくくさせることができるが、金輪の挿着部をキャップ本体の挿着受部に挿着する際の中心の位置ずれを防止させるためにも、挿着受部の内面と突部の平面との隙間は、０．０５ｍｍ以下に設定することが好ましい。また接着強度を得るためには、挿着部の軸方向における長さを３ｍｍ以上の接着代で設けた方がよい。尚、本発明において、突部の頂部に形成する平坦面の軸心に沿った方向の巾を０．１ｍｍ以下としたのは、金輪と軸筒部材との接着に透明な接着剤を用いた場合においても、突部の影を見えにくくするためである。平坦面の巾が０．１ｍｍを越えた場合には、突部の頂部の影が帯状に見えやすくなってしまうことから、キャップ本体と同色系の接着剤を用いる必要性が生じてしまう。
【発明の効果】
【０００８】
本発明では、金輪とキャップ本体との接着に透明な接着剤を用いた場合においても、キャップ本体の外部から見える金輪の影が帯状に透けることのない金輪付きキャップとなった。
【図面の簡単な説明】
【０００９】
【図１】図１は、本実施例の金輪付きキャップを用いた万年筆である。
【図２】図２は、キャップの断面図である。
【図３】図３は、キャップ本体に金輪を装着する状態を示す図である。
【図４】図４は、金輪の一部を拡大した断面図である。
【図５】図５は、キャップ本体に金輪を装着した状態を示す図である。
【図６】図６は、比較例の図である。
【発明を実施するための形態】
【実施例】
【００１０】
本実施例の説明においては、キャップに金輪を備えた万年筆について説明を行うが、本発明は以下の実施例に限定されるものではない。また図中の同じ部材、同じ部品については、同じ符号としてある。
【００１１】
図１を用いて本実施例の万年筆について説明を行う。万年筆１は、先端にペン先２を設けた万年筆本体３とキャップ４とで構成してあり、軸筒３０の前方部３１に対してキャップ４を着脱自在としてある。またキャップ４の側面にはクリップ５を配し、上端には頭冠６を配してある。またキャップ本体４０の開口部４１側には、金輪７を装着してある。尚、本実施例におけるキャップ本体４０は射出成形により形成したアイボリーの樹脂材からなり、金輪７は真鍮にクロームメッキを施したキャップ本体４０とは色違いのものである。
【００１２】
次に、図２を用いてキャップについての説明を行う。キャップ４は、キャップ本体４０の内部に中子８を備えており、中子８の上部に形成した雌螺子部８ａに前記頭冠６の下方に形成した雄螺子部６ａを螺合させて固定すると共に、前記クリップ５の脚部５ａを頭冠６のフランジ部６ｂとキャップ本体４０の上端部４２との間に挟持して固定してある。尚、中子８は、図１に示した軸筒本体３０の前方部３１に当接して気密性を確保する。また金輪７は、キャップ本体４０の開口部４１側の内面を薄肉に形成した挿着受部４１ａに挿着部７ａを挿し込み、金輪７の下方に形成したフランジ部７ｂをキャップ本体４０の下面に当接させている。この状態でキャップ本体４０の内面と金輪７の内面とは一致する。
【００１３】
次に、図３を用いてキャップ本体４０に金輪７を装着するときの説明を行う。本実施例では、キャップ本体４０の挿着受部４１ａに透明な接着剤９を塗布して、金輪７の挿着部７ａを挿し込むことで、キャップ本体４０の挿着受部４１ａと金輪７の挿着部７ａとを接着剤９で固着させる。
【００１４】
また図４に示すように、本実施例における金輪７の挿着部７ａの外面に、複数の突部７ｃを円環状に且つ軸心に沿った方向に等間隔で形成することにより、図３に示した接着剤９を突部７ｃ間の隙間７ｄに入り込ませて接着を強固なものとできる。尚、本実施例では、突部の高さＨを０．１ｍｍとし、突部７ｃの頂部７ｅに形成した平坦面７ｆの軸心に沿った方向の巾Ｗ１を０．１ｍｍとし、突部７ｃの底部７ｇの軸心に沿った方向の巾Ｗ２を０．２ｍｍとし、各突部７ｃの間隔Ｐを０．４５ｍｍとした。
【００１５】
図５はキャップ本体４０に金輪７を装着した状態の図であるが、金輪７の挿着部７ａの突部７ｃにおける平坦面７ｆの巾Ｗ１が、０．１ｍｍと狭いことから、透明な接着剤を用いても、図５に示すようにキャップ本体４０から透けて見える金輪７の影７ｈは、目立ちにくいものとなった。これに対し従来の金輪７０を透明な接着剤で接着した場合には、図６に示すように、挿着部７０ａに形成した突部７０ｃの影７０ｈが帯状に透けて、見栄えが悪いものとなった。
【産業上の利用可能性】
【００１６】
本願発明による金輪付きキャップは、筆記具以外にも、化粧具や塗布具等の構造として使用することが可能である。
【符号の説明】
【００１７】
１…万年筆、２…ペン先、
３…万年筆本体、３０…軸筒、３１…前方部、
４…キャップ、４０…キャップ本体、４１…開口部、４１ａ…挿着受部、
４２…上端部、
５…クリップ、５ａ…脚部、
６…頭冠、６ａ…雄螺子部、６ｂ…フランジ部、
７…金輪、７ａ…挿着部、７ｂ…フランジ部、７ｃ…突部、７ｄ…隙間、
７ｅ…頂部、７ｆ…平坦面、７ｇ…底部、７ｈ…影、
Ｈ…高さ、Ｗ１…巾、Ｗ２…巾、Ｐ…間隔、
８…中子、８ａ…雌螺子部、
９…接着剤。
【図１】
2012045870.tif 000003
【図２】
2012045870.tif 000004
【図３】
2012045870.tif 000005
【図４】
2012045870.tif 000006
【図５】
2012045870.tif 000007
【図６】
2012045870.tif 000008